(57)【特許請求の範囲】
【請求項１】
反射型体積ホログラムを含むセキュリティ媒体の真贋を判定する真贋判定装置であって、
前記反射型体積ホログラムの予め設計された再生照明光の入射方向から前記反射型体積ホログラムに入射するように、表面側に配置される光源と、
前記反射型体積ホログラムの予め設計された回折方向に配置される第１観測装置と、
前記光源から出射された光が直進透過する方向に配置される第２観測装置と、
を備え、
前記光源から前記反射型体積ホログラムに予め設計された回折波長を含む光を入射し、
前記第１観測装置で前記回折波長における光量が他の波長における光量よりも多い光が観測され、
前記第２観測装置で前記回折波長における光量が他の波長における光量よりも少ない光が観測される場合、
前記反射型体積ホログラムが真であると判定する
ことを特徴とする反射型体積ホログラムを含むセキュリティ媒体の真贋判定装置。
【請求項２】
前記セキュリティ媒体は、透明な部材であって、前記光源から出射された光が透過すると、散乱して出射する機能を有し、前記反射型体積ホログラムに並んで配置される散乱透過部材を備える
ことを特徴とする請求項１に記載の反射型体積ホログラムを含むセキュリティ媒体の真贋判定装置。
【請求項３】
前記第２観測装置は、前記反射型体積ホログラム及び前記散乱透過部材を挟んで前記光源とは反対側に配置される
ことを特徴とする請求項２に記載の反射型体積ホログラムを含むセキュリティ媒体の真贋判定装置。
【請求項４】
前記セキュリティ媒体は、透明な部材であって、前記光源から出射された光が反射すると、散乱して出射する機能を有し、前記反射型体積ホログラムに並んで配置される散乱反射部材を備える
ことを特徴とする請求項１に記載の反射型体積ホログラムを含むセキュリティ媒体の真贋判定装置。
【請求項５】
前記光源は、照射する再生光が前記反射型体積ホログラムの予め設計された回折方向以外から前記反射型体積ホログラムに入射するように、表面側に配置される
ことを特徴とする請求項４に記載の反射型体積ホログラムを含むセキュリティ媒体の真贋判定装置。
【請求項６】
前記光源は、照射する再生光が前記反射型体積ホログラムの予め設計された入射方向から前記反射型体積ホログラムに入射するように、表面側に配置される
ことを特徴とする請求項４に記載の反射型体積ホログラムを含むセキュリティ媒体の真贋判定装置。
【請求項７】
前記第２観測装置は、前記反射型体積ホログラムの予め設計された入射方向に配置される
ことを特徴とする請求項５又は６に記載の反射型体積ホログラムを含むセキュリティ媒体の真贋判定装置。
【請求項８】
反射型体積ホログラムを含むセキュリティ媒体の真贋を判定する真贋判定方法であって、
光源から入射する前記反射型体積ホログラムの予め設計された回折波長を含む光が反射型体積ホログラムの再生照明光となるように、前記反射型体積ホログラムを移動させ、前記反射型体積ホログラムの予め設計された回折方向から光を観測する第１工程と、
前記光源から入射する前記反射型体積ホログラムの予め設計された回折波長を含む光が前記反射型体積ホログラムを透過するように、前記反射型体積ホログラムを移動させ、前記反射型体積ホログラムを前記光源の反対側から光を観測する第２工程と、
を有し、
前記第１工程で前記回折波長における光量が他の波長における光量よりも多い光が観測され、前記第２工程で前記回折波長における光量が他の波長における光量よりも少ない光が観測される場合、前記反射型体積ホログラムが真であると判定する
ことを特徴とする反射型体積ホログラムを含むセキュリティ媒体の真贋判定方法。
【請求項９】
反射型体積ホログラムを含むセキュリティ媒体の真贋を判定する真贋判定方法であって、
前記セキュリティ媒体は、透明な部材であって、光源から出射された前記反射型体積ホログラムの予め設計された回折波長を含む光が透過すると、散乱して出射する機能を有し、前記反射型体積ホログラムに並んで配置される散乱透過部材を備え、
光源から入射する前記反射型体積ホログラムの予め設計された回折波長を含む光が反射型体積ホログラムの再生照明光となるように、前記反射型体積ホログラムを移動させ、前記反射型体積ホログラムの予め設計された回折方向から光を観測する第１工程と、
白色光の前記光源から入射する光が前記反射型体積ホログラムを透過するように、前記反射型体積ホログラムを移動させ、前記反射型体積ホログラムを前記光源の反対側から光を観測する第２工程と、
を有し、
前記第１工程で前記回折波長における光量が他の波長における光量よりも多い光が観測され、前記第２工程で前記回折波長における光量が他の波長における光量よりも少ない光が観測される場合、前記反射型体積ホログラムが真であると判定する
ことを特徴とする反射型体積ホログラムを含むセキュリティ媒体の真贋判定方法。
【請求項１０】
反射型体積ホログラムを含むセキュリティ媒体の真贋を判定する真贋判定方法であって、
前記セキュリティ媒体は、不透明な部材であって、光源から出射された前記反射型体積ホログラムの予め設計された回折波長を含む光が反射すると、散乱して出射する機能を有し、前記反射型体積ホログラムに並んで配置される散乱反射部材を備え、
前記反射型体積ホログラムの予め設計された再生照明光の入射方向の前記光源から出射した光に対して、前記反射型体積ホログラムの予め設計された回折方向から光を観測する第１工程と、
前記反射型体積ホログラムの予め設計された再生照明光の入射方向の前記光源から出射した光に対して、前記反射型体積ホログラムの予め設計された再生照明光の入射方向から光を観測する第２工程と、
を有し、
前記第１工程で前記回折波長における光量が他の波長における光量よりも多い光が観測され、前記第２工程で前記回折波長における光量が他の波長における光量よりも少ない光が観測される場合、前記反射型体積ホログラムが真であると判定する
ことを特徴とする反射型体積ホログラムを含むセキュリティ媒体の真贋判定方法。
【請求項１１】
前記第２工程は、前記反射型体積ホログラムの予め設計された再生照明光が入射した場合の回折光の出射方向以外の前記光源から出射した光に対して、前記反射型体積ホログラムの予め設計された再生照明光の入射方向から光を観測する
ことを特徴とする請求項８に記載の反射型体積ホログラムを含むセキュリティ媒体の真贋判定方法。
【発明の詳細な説明】
【技術分野】
【０００１】
本発明は、波長選択性及び角度選択性を有し、物品等に貼付又は転写又は埋め込むことで、物品の偽造を防止する反射型体積ホログラムを含むセキュリティ媒体の真贋判定装置、反射型体積ホログラムを含むセキュリティ媒体の真贋判定方法、及び、物品等に貼付又は転写又は埋め込むことで、物品の偽造を防止する反射型体積ホログラムを含むセキュリティ媒体に関するものである。
【背景技術】
【０００２】
従来から、キャッシュカード、クレジットカード、小切手カード等のカード類、金券類、身分証明書、重要書類等のような認証とともに偽造防止を必要とする物品に対して、各種の偽造防止技術が用いられている。偽造防止技術には、一例として、光学可変インク及び蛍光発光インク等の特殊インク、又はホログラム等が用いられる。また、偽造防止技術に加えて、偽造防止技術を用いて真贋判定を行うため、偽造防止技術を検知・認証する真贋判定方法が用いられる。より簡便に真贋判定を行うには、その方法を用いた真贋判定装置が用いられる。
【０００３】
偽造防止技術で用いられるホログラムとは、互いにコヒーレントな二つの光（物体光と参照光）を干渉させることにより、物体光の波面情報が干渉縞として感光材料に記録されたものであり、干渉縞記録時の参照光と近い条件の光で照明すると、干渉縞による回折現象が生じ、元の物体光に近い波面が再生できるものである。このようなホログラムは、干渉縞の記録形態により、いくつかの種類（レリーフホログラム、体積ホログラム等）に分類される。
【０００４】
ここで、上記レリーフホログラム（レリーフ型ホログラム）は、光の干渉によって生じる干渉縞をホログラム層表面の微細な凹凸パターンとして賦型したホログラムである。一方、上記体積ホログラム（体積型ホログラム）は光の干渉によって生じる干渉縞を、ホログラム層内部の屈折率や透過率が異なる縞として厚み方向に三次元的に記録したホログラムである。
【０００５】
体積ホログラムは、干渉縞が記録材料の厚み方向に三次元的に記録されているために、いわゆるブラッグ条件と呼ばれる波長および光路方向に関する条件を満たす光を、高い回折効率で回折する特徴がある。つまり、特定の波長を特定の角度で回折する、波長選択性と角度選択性を持つ。体積ホログラムには、光を回折する方向によって反射型と透過型に大別できる。反射型体積ホログラムは、透過型体積ホログラムと比較して、波長選択性が強く反射回折される波長幅が狭く限定（特定の色になる）される。
【０００６】
従来、体積型ホログラムを検知・認証する技術については、体積型ホログラム積層体に対して体積型ホログラム層の特定波長と異なる波長の検査光を照射し、または体積型ホログラム積層体に対して体積型ホログラム層の特定角度と異なる角度の検査光を照射することで、体積型ホログラム積層体の欠陥を精度良く安定して検出することができる技術が開示されている（特許文献１参照）。
【先行技術文献】
【特許文献】
【０００７】
【特許文献１】特開２０１０−２６１７４４号公報
【発明の概要】
【発明が解決しようとする課題】
【０００８】
しかしながら、特許文献１に開示された技術は、単に体積型ホログラム積層体の欠陥を検出するものであって、真贋判定をし、物品の偽造を防止するものではない。
【０００９】
本発明は、容易に真贋判定を行うことが可能な反射型体積ホログラムを含むセキュリティ媒体の真贋判定装置、反射型体積ホログラムを含むセキュリティ媒体の真贋判定方法、及び反射型体積ホログラムを含むセキュリティ媒体を提供する。
【課題を解決するための手段】
【００１０】
上記目的を達成する本発明にかかる反射型体積ホログラムを含むセキュリティ媒体の真贋判定装置は、
前記反射型体積ホログラムの予め設計された再生照明光の入射方向から前記反射型体積ホログラムに入射するように、表面側に配置される光源と、
前記反射型体積ホログラムの予め設計された回折方向に配置される第１観測装置と、
前記光源から出射された光が直進透過する方向に配置される第２観測装置と、
を備え、
前記光源から前記反射型体積ホログラムに予め設計された回折波長を含む光を入射し、
前記第１観測装置で前記回折波長における光量が他の波長における光量よりも多い光が観測され、
前記第２観測装置で前記回折波長における光量が他の波長における光量よりも少ない光が観測される場合、
前記反射型体積ホログラムが真であると判定する
ことを特徴とする。
【００１３】
また、本発明にかかる反射型体積ホログラムを含むセキュリティ媒体の真贋判定装置では、
前記セキュリティ媒体は、透明な部材であって、前記光源から出射された光が透過すると、散乱して出射する機能を有し、前記反射型体積ホログラムに並んで配置される散乱透過部材を備える
ことを特徴とする。
【００１４】
また、本発明にかかる反射型体積ホログラムを含むセキュリティ媒体の真贋判定装置では、
前記第２観測装置は、前記反射型体積ホログラム及び前記散乱透過部材を挟んで前記光源とは反対側に配置される
ことを特徴とする。
【００１５】
また、本発明にかかる反射型体積ホログラムを含むセキュリティ媒体の真贋判定装置では、
前記セキュリティ媒体は、透明な部材であって、前記光源から出射された光が反射すると、散乱して出射する機能を有し、前記反射型体積ホログラムに並んで配置される散乱透過部材を備える
ことを特徴とする。
【００１６】
また、本発明にかかる反射型体積ホログラムを含むセキュリティ媒体の真贋判定装置では、
前記光源は、照射する再生光が前記反射型体積ホログラムの予め設計された回折方向以外から前記反射型体積ホログラムに入射するように、表面側に配置される
ことを特徴とする。
【００１７】
また、本発明にかかる反射型体積ホログラムを含むセキュリティ媒体の真贋判定装置では、
前記光源は、照射する再生光が前記反射型体積ホログラムの予め設計された入射方向から前記反射型体積ホログラムに入射するように、表面側に配置される
ことを特徴とする。
【００１８】
また、本発明にかかる反射型体積ホログラムを含むセキュリティ媒体の真贋判定装置では、
前記第２観測装置は、前記反射型体積ホログラムの予め設計された入射方向に配置される
ことを特徴とする。
【００１９】
さらに、本発明にかかる反射型体積ホログラムを含むセキュリティ媒体の真贋判定方法は、
光源から入射する前記反射型体積ホログラムの予め設計された回折波長を含む光が反射型体積ホログラムの再生照明光となるように、前記反射型体積ホログラムを移動させ、前記反射型体積ホログラムの予め設計された回折方向から光を観測する第１工程と、
前記光源から入射する前記反射型体積ホログラムの予め設計された回折波長を含む光が前記反射型体積ホログラムを透過するように、前記反射型体積ホログラムを移動させ、前記反射型体積ホログラムを前記光源の反対側から光を観測する第２工程と、
を有し、
前記第１工程で前記回折波長における光量が他の波長における光量よりも多い光が観測され、前記第２工程で前記回折波長における光量が他の波長における光量よりも少ない光が観測される場合、前記反射型体積ホログラムが真であると判定する
ことを特徴とする。
【００２０】
また、本発明にかかる反射型体積ホログラムを含むセキュリティ媒体の真贋判定方法では、
前記セキュリティ媒体は、透明な部材であって、光源から出射された前記反射型体積ホログラムの予め設計された回折波長を含む光が透過すると、散乱して出射する機能を有し、前記反射型体積ホログラムに並んで配置される散乱透過部材を備え、
光源から入射する前記反射型体積ホログラムの予め設計された回折波長を含む光が反射型体積ホログラムの再生照明光となるように、前記反射型体積ホログラムを移動させ、前記反射型体積ホログラムの予め設計された回折方向から光を観測する第１工程と、
白色光の前記光源から入射する光が前記反射型体積ホログラムを透過するように、前記反射型体積ホログラムを移動させ、前記反射型体積ホログラムを前記光源の反対側から光を観測する第２工程と、
を有し、
前記第１工程で前記回折波長における光量が他の波長における光量よりも多い光が判定され、前記第２工程で前記回折波長における光量が他の波長における光量よりも少ない光が判定される場合、前記反射型体積ホログラムが真であると判定する
ことを特徴とする。
【００２１】
また、本発明にかかる反射型体積ホログラムを含むセキュリティ媒体の真贋判定方法では、
前記セキュリティ媒体は、不透明な部材であって、光源から出射された前記反射型体積ホログラムの予め設計された回折波長を含む光が反射すると、散乱して出射する機能を有し、前記反射型体積ホログラムに並んで配置される散乱反射部材を備え、
前記反射型体積ホログラムの予め設計された再生照明光の入射方向の前記光源から出射した光に対して、前記反射型体積ホログラムの予め設計された回折方向から光を観測する第１工程と、
前記反射型体積ホログラムの予め設計された再生照明光の入射方向の前記光源から出射した光に対して、前記反射型体積ホログラムの予め設計された再生照明光の入射方向から光を観測する第２工程と、
を有し、
前記第１工程で前記回折波長における光量が他の波長における光量よりも多い光が判定され、前記第２工程で前記回折波長における光量が他の波長における光量よりも少ない光が判定される場合、前記反射型体積ホログラムが真であると判定する
ことを特徴とする。
【００２２】
また、本発明にかかる反射型体積ホログラムを含むセキュリティ媒体の真贋判定方法では、
前記第２工程は、前記反射型体積ホログラムの予め設計された再生照明光が入射した場合の回折光の出射方向以外の前記光源から出射した光に対して、前記反射型体積ホログラムの予め設計された再生照明光の入射方向から光を観測する
ことを特徴とする。
【発明の効果】
【００２５】
本発明によれば、容易に真贋判定を行うことが可能な反射型体積ホログラムを含むセキュリティ媒体の真贋判定装置、反射型体積ホログラムを含むセキュリティ媒体の真贋判定方法、及び反射型体積ホログラムを含むセキュリティ媒体を提供することが可能となる。
【図面の簡単な説明】
【００２６】
【図１】第１実施形態の反射型体積ホログラムの真贋判定装置を示す。
【図２】第１実施形態の反射型体積ホログラムの真贋判定装置の第１観測装置の場所で観測される光の波長と観測光量の関係を示す。
【図３】第１実施形態の反射型体積ホログラムの真贋判定装置の第２観測装置の場所で観測される光の波長と観測光量の関係を示す。
【図４】第１実施形態の反射型体積ホログラムの真贋判定方法の例を示す。
【図５】第１実施形態の反射型体積ホログラムの真贋判定方法の例を示す。
【図６】第２実施形態の反射型体積ホログラムの真贋判定装置を示す。
【図７】第２実施形態の反射型体積ホログラムの真贋判定方法の例を示す。
【図８】第２実施形態の反射型体積ホログラムの真贋判定方法の例を示す。
【図９】第３実施形態の反射型体積ホログラムの真贋判定装置を示す。
【図１０】第３実施形態の反射型体積ホログラムの真贋判定装置の光源の波長と第１観測装置の観測光量の関係を示す。
【図１１】第３実施形態の反射型体積ホログラムの真贋判定装置の光源の波長と第２観測装置の観測光量の関係を示す。
【図１２】第３実施形態の反射型体積ホログラムの他の例の真贋判定装置を示す。
【図１３】第３実施形態の反射型体積ホログラムの真贋判定方法の例を示す。
【図１４】第３実施形態の反射型体積ホログラムの真贋判定方法の例を示す。
【図１５】第３実施形態の反射型体積ホログラムの真贋判定方法の他の例を示す。
【発明を実施するための形態】
【００２７】
以下、図面を参照にして本発明にかかる反射型体積ホログラムの真贋判定装置、反射型体積ホログラムの真贋判定方法、及び反射型体積ホログラムを用いたセキュリティ媒体について説明する。
【００２８】
図１は、第１実施形態の反射型体積ホログラム２の真贋判定装置１を示す。図２は、第１実施形態の反射型体積ホログラム２の真贋判定装置１の第１観測装置の場所で観測される光の波長と観測光量との関係を示す。図３は、第１実施形態の反射型体積ホログラム２の真贋判定装置１の第２観測装置の場所で観測される光の波長と観測光量との関係を示す。なお、第１実施形態では、反射型体積ホログラム２がセキュリティ媒体１０を構成する。
【００２９】
第１実施形態の反射型体積ホログラム２の真贋判定装置１は、一例として、図１に示すように、光源Ｌと、第１観測装置１１と、第２観測装置１２と、を備える。真贋判定される反射型体積ホログラム２は、透明であって、予め定めた所定の波長の物体光と参照光をホログラム記録用感光材料に予め定めた所定の入射角で入射させることで作製する。例えば、第１実施形態の反射型体積ホログラム２は、ホログラム記録用感光材料の表面に垂直な方向から波長λ＝５３２ｎｍの物体光を入射させ、裏面から波長λ＝５３２ｎｍの参照光を入射角４５°で入射させる。
【００３０】
このようにして記録した反射型体積ホログラム２は、作成時の参照光が向かう方向とは反対の方向の角度近傍より光を入射させると、物体光が入射してきた方向と反対の方向近傍へ、記録波長（λ＝５３２ｎｍ）近傍の波長の光を強く回折する。この場合、回折光の光量が最も強くなる光源の入射方向を、反射型体積ホログラム２の「予め設計された入射方向」と言う。また、その場合の回折光の回折方向を、反射型体積ホログラムの「予め設計された回折方向」と言う。そして、波長選択性により、波長幅が狭く限定された反射回折光の波長を反射型体積ホログラム２の「予め設計された回折波長」という。以下、全ての実施形態において同様である。
【００３１】
真贋判定装置１の光源Ｌは、反射型体積ホログラム２の予め設計された回折波長を含んだ光源（例えば白色光源）であって、照射する再生光が反射型体積ホログラム２の予め設計された入射方向から反射型体積ホログラム２に入射するように、表面側に配置される。第１観測装置１１は、反射型体積ホログラム２の予め設計された回折方向に配置される。第２観測装置１２は、光源Ｌから出射され直進透過してきた光を受光する位置に配置される。
【００３２】
第１実施形態の一例では、光源Ｌは、反射型体積ホログラム２の表面側で予め設計された入射角α＝４５°の方向に配置される。また、第１観測装置１１は、反射型体積ホログラム２の表面に対してほぼ垂直な方向（反射型体積ホログラム２の予め設計された回折方向）に配置され、第２観測装置１２は、反射型体積ホログラム２の裏面側で光源Ｌから出射されて反射型体積ホログラム２を透過した光が向かう出射角β＝４５°の方向に配置される。
【００３３】
このような本実施形態の反射型体積ホログラム２の真贋判定装置１の作動について説明する。
【００３４】
本実施形態の反射型体積ホログラム２の真贋判定装置１は、光源Ｌから反射型体積ホログラム２に予め設計された回折波長を含んだ光を入射し、その時の第１観測装置１１で観測される反射型体積ホログラム２の予め設計された回折波長を含んだ光の波長と光量の関係と第２観測装置１２で観測される反射型体積ホログラム２の予め設計された回折波長を含んだ光の波長と光量の関係を測定する。反射型体積ホログラム２が真の場合、第１観測装置１１で観測される光量は、反射型体積ホログラム２の予め設計された回折波長の光量が多く、その他の波長は回折しないため光量が少なくなる。第２観測装置１２で観測される光量は、反射型体積ホログラム２の予め設計された回折波長の光量が少なく、その他の波長は回折せずに透過するため光量が多くなる。また、反射型体積ホログラム２が贋の場合、第１観測装置１１で観測される光量と第２観測装置１２で観測される光量は、反射型体積ホログラム２が真の場合と異なる。なお、真贋判定装置１は、このような結果によって反射型体積ホログラム２の真贋を判定する判定部を有することが好ましい。
【００３５】
第１実施形態の反射型体積ホログラム２の真贋判定装置１では、光源Ｌから反射型体積ホログラム２の予め設計された回折波長を含んだ光が、反射型体積ホログラム２の予め設計された入射角α＝４５°で入射する。反射型体積ホログラム２が真の場合、図２に示すように、第１観測装置１１で観測される光量は、反射型体積ホログラム２の予め設計された回折波長λ＝５３２ｎｍが多く、その他の波長は少ない。また、第２観測装置１２で観測される光量は、図３に示すように、反射型体積ホログラム２の予め設計された回折波長λ＝５３２ｎｍは少なく、その他の波長は多い。
【００３６】
ここで、第１実施形態の作製時の波長λ＝５３２ｎｍは緑色の波長であるので、第１観測装置１１及び第２観測装置１２を色が観測できる装置とすると、第１観測装置１１では緑色が観測され、光源が白色光の場合には、第２観測装置１２では緑色の補色である赤紫色が観測される。
【００３７】
このように、本実施形態の反射型体積ホログラム２を含むセキュリティ媒体１０の真贋判定装置１は、反射型体積ホログラム２に入射するように、表面側に配置される光源Ｌと、反射型体積ホログラム２の予め設計された回折方向に配置される第１観測装置１１と、反射型体積ホログラム２の予め設計された回折方向以外に配置される第２観測装置１２と、を備え、光源Ｌから反射型体積ホログラム２に予め設計された回折波長を含んだ光を入射し、第１観測装置１１で回折波長における光量が他の波長における光量よりも多い光が
観測され、第２観測装置１２で回折波長における光量が他の波長における光量よりも少ない光が観測される（光源の光から回折波長の光を減少させた、補色の関係である）場合、反射型体積ホログラム２が真であると判定するので、容易に反射型体積ホログラム２の真贋を判定することが可能となる。
【００３８】
次に、光源Ｌとして天井に点灯している蛍光灯等を用いることができる場合の反射型体積ホログラム２の真贋判定方法について説明する。
【００３９】
図４及び図５は、第１実施形態の反射型体積ホログラムの真贋判定方法の例を示す。
【００４０】
第１実施形態の反射型体積ホログラム１は、肉眼によって真贋を判定することも可能である。なお、真贋判定される反射型体積ホログラム２は、予め定めた所定の波長の物体光と参照光をホログラム記録用感光材料に予め定めた所定の入射角で入射させることで作製する。ここで、物体光と参照光は、あらかじめ定めた波長の光とする。例えば、本実施形態では、緑色の波長５３２ｎｍとする。
【００４１】
図４に示すように、反射型体積ホログラム２の予め設計された回折波長を含んだ光（例えば白色光）の光源Ｌから入射する光が反射型体積ホログラム２の再生照明光となるように予め設計された入射方向から入射するように、反射型体積ホログラム２を移動させ、反射型体積ホログラム２の予め設計された回折方向から観察者の瞳Ｅで見ると、物体の像が反射型体積ホログラム２の予め設計された回折光の緑色に見える。
【００４２】
これに対して、図５に示すように、反射型体積ホログラム２の予め設計された回折波長を含んだ光（例えば白色光）の光源Ｌから入射する光が反射型体積ホログラム２を透過するように、反射型体積ホログラム２を移動させ、反射型体積ホログラム２越しに光源Ｌの直進透過光を観察する方向から観察者の瞳Ｅで見ると、物体の像は、光源が白色光の場合、緑色が抜けた赤紫色に見える。すなわち、反射型体積ホログラム２の予め設計された回折光の色の補色が見えることになる。
【００４３】
このように、第１実施形態の反射型体積ホログラム２を含むセキュリティ媒体１０の真贋判定方法は、反射型体積ホログラム２の予め設計された回折波長を含んだ光源Ｌから入射する光が反射型体積ホログラム２の再生照明光となるように、反射型体積ホログラム２を移動させ、反射型体積ホログラム２の予め設計された回折方向から光を観測する第１工程と、反射型体積ホログラム２の予め設計された回折波長を含んだ光の光源Ｌから入射する光が反射型体積ホログラム２を透過するように、反射型体積ホログラム２を移動させ、反射型体積ホログラム２を光源Ｌの反対側から光を観測する第２工程と、を有し、第１工程で回折波長における光量が他の波長における光量よりも多い光が判定され、第２工程で回折波長における光量が他の波長における光量よりも少ない光が判定される場合、反射型体積ホログラム２が真であると判定するので、容易に反射型体積ホログラム２の真贋判定を行うことが可能となる。
【００４４】
次に、第２実施形態の反射型体積ホログラムの真贋判定装置について説明する。
【００４５】
図６は、第２実施形態の反射型体積ホログラムの真贋判定装置を示す。
【００４６】
第２実施形態の反射型体積ホログラム２の真贋判定装置１は、一例として、図６に示すように、光源Ｌと、第１観測装置１１と、第２観測装置１２と、散乱透過部材３と、を備える。真贋判定される反射型体積ホログラム２は、透明であって、予め定めた所定の波長の物体光と参照光をホログラム記録用感光材料に予め定めた所定の入射角で入射させることで作製する。例えば、真の反射型体積ホログラム２は、ホログラム記録用感光材料の表
面に垂直な方向から波長λ＝５３２ｎｍの物体光を入射させ、裏面から波長λ＝５３２ｎｍの参照光を入射角４５°で入射させる。
【００４７】
真贋判定装置１の光源Ｌは、反射型体積ホログラム２の予め設計された回折波長を含んだ光源（例えば白色光源）であって、照射する再生光が反射型体積ホログラム２の予め設計された入射方向から反射型体積ホログラム２に入射するように、表面側に配置される。第１観測装置１１は、反射型体積ホログラム２の予め設計された回折方向に配置される。第２観測装置１２は、反射型体積ホログラム２及び散乱透過部材３を挟んで光源Ｌとは反対側に配置される。散乱透過部材３は、透明な部材であって、光源Ｌから出射された白色光が透過すると、散乱して出射する機能を有し、反射型体積ホログラム２の光源Ｌとは反対側に並んで配置される。
【００４８】
第２実施形態の光源Ｌは、反射型体積ホログラム２の表面側で入射角α＝４５°の方向に配置される。また、第１観測装置１１は、反射型体積ホログラム２の表面に対して垂直な方向に配置され、第２観測装置１２は、光源Ｌから出射されて反射型体積ホログラム２を透過した光が散乱透過部材３で散乱されるので、反射型体積ホログラム２の裏面側のいずれかの位置に配置すればよい。
【００４９】
このような第２実施形態の反射型体積ホログラム２の真贋判定装置１の作動について説明する。
【００５０】
本実施形態の反射型体積ホログラム２の真贋判定装置１は、光源Ｌから反射型体積ホログラム２に予め設計された回折波長を含んだ光を入射し、その時の第１観測装置１１で観測される反射型体積ホログラム２の予め設計された回折波長を含んだ光の波長と光量の関係と第２観測装置１２で観測される反射型体積ホログラム２の予め設計された回折波長を含んだ光の波長と光量の関係を測定する。反射型体積ホログラム２が真の場合、第１観測装置１１で観測される光量は、反射型体積ホログラム２の予め設計された回折波長の光量が多く、その他の波長は回折しないため光量が少なくなる。第２観測装置１２で観測される光量は、反射型体積ホログラム２の予め設計された回折波長の光量が少なく、その他の波長は回折せずに透過するため光量が多くなる。また、反射型体積ホログラム２が贋の場合、第１観測装置１１で観測される光量と第２観測装置１２で観測される光量は、反射型体積ホログラム２が真の場合と異なる。なお、真贋判定装置１は、このような結果によって反射型体積ホログラム２の真贋を判定する判定部を有することが好ましい。
【００５１】
第２実施形態の反射型体積ホログラム２の真贋判定装置１では、光源Ｌから反射型体積ホログラム２の予め設計された回折波長を含んだ光が、反射型体積ホログラム２の予め設計された入射角α＝４５°で入射する。反射型体積ホログラム２が真の場合、図２に示したように、第１観測装置１１で観測される光量は、反射型体積ホログラム２の予め設計された回折波長λ＝５３２ｎｍが多く、その他の波長は少ない。また、第２観測装置１２で観測される光量は、図３に示したように、反射型体積ホログラム２の予め設計された回折波長λ＝５３２ｎｍは少なく、その他の波長は多い。
【００５２】
ここで、第２実施形態の作製時の波長λ＝５３２ｎｍは緑色の波長であるので、第１観測装置１１及び第２観測装置１２を色が観測できる装置とすると、第１観測装置１１では緑色が観測され、光源が白色光の場合には、第２観測装置１２では緑色の補色である赤紫色が観測される。
【００５３】
このように、第２実施形態の反射型体積ホログラム２を含むセキュリティ媒体１０の真贋判定装置１では、第１観測装置１１で観測される波長と第２観測装置１２で観測される波長を測定することで、容易に反射型体積ホログラム２の真贋を判定することが可能とな
る。また、第２実施形態の反射型体積ホログラム２を含むセキュリティ媒体１０の真贋判定装置１では、セキュリティ媒体１０は、透明な部材であって、光源Ｌから出射された光が透過すると、散乱して出射する機能を有し、反射型体積ホログラム２に並んで配置される散乱透過部材３を備えるので、第２観測装置１２を反射型体積ホログラム２の裏面側のいずれかの位置に配置すればよく、第２観測装置１２で波長を容易に観測することが可能となる。
【００５４】
また、散乱透過部材３は、真贋判定装置１に設置してもよいし、反射型体積ホログラム２に積層してもよい。反射型体積ホログラム２と散乱透過部材３は、積層することで、セキュリティ媒体１０として使用することができる。以下に、セキュリティ媒体１０とした場合の真贋判定方法について説明する。
【００５５】
図７及び図８は、第２実施形態の反射型体積ホログラムの真贋判定方法の例を示す。
【００５６】
本実施形態のセキュリティ媒体１０は、肉眼によって真贋を判定することも可能である。なお、真贋判定されるセキュリティ媒体１０のうち反射型体積ホログラム２は、予め定めた所定の波長の物体光と参照光をホログラム記録用感光材料に予め定めた所定の入射角で入射させることで作製する。ここで、物体光と参照光は、あらかじめ定めた波長の光とする。例えば、本実施形態では、緑色の波長５３２ｎｍとする。
【００５７】
図７に示すように、反射型体積ホログラム２の予め設計された回折波長を含んだ光（例えば白色光）の光源Ｌから入射する光が反射型体積ホログラム２の再生照明光となるように予め設計された入射方向から入射するように、セキュリティ媒体１０を移動させ、反射型体積ホログラム２の予め設計された回折方向から観察者の瞳Ｅで見ると、物体の像が反射型体積ホログラム２の予め設計された回折光の緑色に見える。
【００５８】
これに対して、図８に示すように、反射型体積ホログラム２の予め設計された回折波長を含んだ光（例えば白色光）の光源Ｌから入射する光がセキュリティ媒体１０を透過するように、セキュリティ媒体１０を移動させ、セキュリティ媒体１０越しに光源Ｌの直進透過光を観察する方向ら観察者の瞳Ｅで見ると、光源が白色光の場合、物体の像は、緑色が抜けた赤紫色に見える。すなわち、反射型体積ホログラム２の予め設計された回折光の色の補色が見えることになる。なお、光源Ｌから出射されて反射型体積ホログラム２を透過した光は、散乱透過部材３で散乱されるので、観察者は、セキュリティ媒体１０を挟んで光源Ｌとは反対側のいずれかの位置に瞳Ｅを配置すれば物体光と参照光の補色が見える。
【００５９】
このように、第２実施形態の反射型体積ホログラム２を含むセキュリティ媒体１０の真贋判定方法では、セキュリティ媒体１０は、透明な部材であって、光源Ｌから出射された反射型体積ホログラム２の予め設計された回折波長を含んだ光が透過すると、散乱して出射する機能を有し、反射型体積ホログラム２に並んで配置される散乱透過部材３を備え、反射型体積ホログラム２の予め設計された回折波長を含んだ光源Ｌから入射する光が反射型体積ホログラム２の再生照明光となるように、反射型体積ホログラム２を移動させ、反射型体積ホログラム２の予め設計された回折方向から光を観測する第１工程と、反射型体積ホログラム２の予め設計された回折波長を含んだ光の光源Ｌから入射する光が反射型体積ホログラム２を透過するように、反射型体積ホログラム２を移動させ、反射型体積ホログラム２を光源Ｌの反対側から光を観測する第２工程と、を有し、第１工程で回折波長における光量が他の波長における光量よりも多い光が判定され、第２工程で回折波長における光量が他の波長における光量よりも少ない光が判定される場合、反射型体積ホログラム２が真であると判定するので、容易に反射型体積ホログラム２の真贋判定を行うことが可能となる。また、第２実施形態のセキュリティ媒体１０の真贋判定方法では、反射型体積ホログラム２の予め設計された回折波長を含んだ光源Ｌから入射する光をセキュリティ媒
体１０に所定の角度から反射又は透過させ、観察者が観察される色を比較することで、容易にセキュリティ媒体１０の真贋を判定することが可能となる。また、本実施形態では、セキュリティ媒体１０が散乱透過部材３を用いていることで、観察者は、瞳Ｅをセキュリティ媒体１０の裏面側のいずれかの位置に配置すればよいので、容易に観察することが可能となる。
【００６０】
次に、第３実施形態の反射型体積ホログラムの真贋判定装置について説明する。
【００６１】
図９は、第３実施形態の反射型体積ホログラムの真贋判定装置を示す。図１０は、第３実施形態の反射型体積ホログラム２の真贋判定装置１の第１観測装置の場所で観測される光の波長と観測光量との関係を示す。図１１は、第３実施形態の反射型体積ホログラム２の真贋判定装置１の第２観測装置の場所で観測される光の波長と観測光量との関係を示す。
【００６２】
第３実施形態の反射型体積ホログラム２の真贋判定装置１は、一例として、図９に示すように、光源Ｌと、第１観測装置１１と、第２観測装置１２と、散乱反射部材４と、を備える。真贋判定される反射型体積ホログラム２は、透明であって、予め定めた所定の波長の物体光と参照光をホログラム記録用感光材料に予め定めた所定の入射角で入射させることで作製する。例えば、真の反射型体積ホログラム２は、ホログラム記録用感光材料の表面に垂直な方向から波長λ＝５３２ｎｍの物体光を入射させ、裏面から波長λ＝５３２ｎｍの参照光を入射角４５°で入射させる。
【００６３】
真贋判定装置１の光源Ｌは、反射型体積ホログラム２の予め設計された回折波長を含んだ光源（例えば白色光源）であって、照射する再生光が反射型体積ホログラム２の予め設計された入射方向から反射型体積ホログラム２に入射するように、表面側に配置される。第１観測装置１１は、反射型体積ホログラム２の予め設計された回折方向に配置される。第２観測装置１２は、反射型体積ホログラム２の予め設計された入射方向に配置される。散乱反射部材４は、不透明な部材であって、光源Ｌから出射された反射型体積ホログラム２の予め設計された回折波長を含んだ光が反射すると、散乱して出射する機能を有し、反射型体積ホログラム２の光源Ｌとは反対側に並んで配置される。なお、光源Ｌと第２観測装置１２は、同じ方向に配置されることになるが、微少距離だけ位置をずらせばよい。また、光源Ｌから光を照射した後、光源Ｌと第２観測装置１２の位置を取り替えて、第２観測装置１２が観測できるようにしてもよい。
【００６４】
第３実施形態の一例では、光源Ｌは、反射型体積ホログラム２の表面側で予め設計された入射角α＝４５°の方向に配置される。また、第１観測装置１１は、反射型体積ホログラム２の表面に対してほぼ垂直な方向（反射型体積ホログラム２の予め設計された回折方向）に配置され、第２観測装置１２は、反射型体積ホログラム２の表面側で入射角α＝４５°の方向に配置される。
【００６５】
このような第３実施形態の反射型体積ホログラム２の真贋判定装置１の作動について説明する。
【００６６】
本実施形態の反射型体積ホログラム２の真贋判定装置１は、光源Ｌから反射型体積ホログラム２に予め設計された回折波長を含んだ光を入射し、その時の第１観測装置１１で観測される反射型体積ホログラム２の予め設計された回折波長を含んだ光の波長と光量の関係と第２観測装置１２で観測される反射型体積ホログラム２の予め設計された回折波長を含んだ光の波長と光量の関係を測定する。反射型体積ホログラム２が真の場合、第１観測装置１１で観測される光量は、反射型体積ホログラム２の予め設計された回折波長の光量が多く、その他の波長は回折しないため光量が少なくなる。第２観測装置１２で観測され
る光量は、反射型体積ホログラム２の予め設計された回折波長の光量が少なく、その他の波長は回折せずに透過するため光量が多くなる。また、反射型体積ホログラム２が贋の場合、第１観測装置１１で観測される光量と第２観測装置１２で観測される光量は、反射型体積ホログラム２が真の場合と異なる。なお、真贋判定装置１は、このような結果によって反射型体積ホログラム２の真贋を判定する判定部を有することが好ましい。
【００６７】
第３実施形態の反射型体積ホログラム２の真贋判定装置１では、光源Ｌから反射型体積ホログラム２の予め設計された回折波長を含んだ光が、反射型体積ホログラム２の予め設計された入射角α＝４５°から入射する。反射型体積ホログラム２が真の場合、図１０に示すように、第１観測装置１１で観測される光量は、反射型体積ホログラム２の予め設計された回折波長λ＝５３２ｎｍが多く、その他の波長は少ない。また、第２観測装置１２で観測される光量は、図１１に示すように、反射型体積ホログラム２の予め設計された回折波長λ＝５３２ｎｍは少なく、その他の波長は多い。
【００６８】
ここで、第３実施形態の作製時の波長λ＝５３２ｎｍは緑色の波長であるので、第１観測装置１１及び第２観測装置１２を色が観測できる装置とすると、第１観測装置１１では緑色が観測され、光源が白色光の場合には、第２観測装置１２では緑色の補色である赤紫色が観測される。
【００６９】
図１２は、第３実施形態の反射型体積ホログラムの他の例の真贋判定装置を示す。
【００７０】
なお、第３実施形態の反射型体積ホログラム２の真贋判定装置１では、他の例として、第２観測装置１２で観測する際に、光源Ｌを第１観測装置１１の方向以外から反射型体積ホログラム２に入射するように、すなわち反射型体積ホログラム２の予め設計された回折方向以外に配置してもよい。このように配置した場合であっても第２観測装置１２で緑色の補色である赤紫色を観測することが可能となる。
【００７１】
このように、第３実施形態の反射型体積ホログラム２を含むセキュリティ媒体１０の真贋判定装置１では、セキュリティ媒体１０は、透明な部材であって、光源Ｌから出射された反射型体積ホログラム２の予め設計された回折波長を含んだ光が反射すると、散乱して出射する機能を有し、反射型体積ホログラム２に並んで配置される散乱反射部材４を備えるので、第２観測装置１２で波長を容易に観測することが可能となる。また、第３実施形態では、散乱反射部材４を用いることで、第１観測装置１１と第２観測装置１２の両方を反射型体積ホログラム２の片側に配置すればよいので、全体を小型に形成することが可能となる。
【００７２】
また、散乱反射部材４は、真贋判定装置１に設置してもよいし、反射型体積ホログラム２に積層してもよい。反射型体積ホログラム２と散乱反射部材４は、積層することで、セキュリティ媒体１０として使用することができる。以下に、セキュリティ媒体１０とした場合の真贋判定方法について説明する。
【００７３】
図１３及び図１４は、第３実施形態の反射型体積ホログラムの真贋判定方法の例を示す。
【００７４】
本実施形態のセキュリティ媒体１０は、肉眼によって真贋を判定することも可能である。なお、真贋判定されるセキュリティ媒体１０のうち反射型体積ホログラム２は、予め定めた所定の波長の物体光と参照光をホログラム記録用感光材料に予め定めた所定の入射角で入射させることで作製する。ここで、物体光と参照光は、あらかじめ定めた波長の光とする。例えば、本実施形態では、緑色の波長５３２ｎｍとする。なお、
【００７５】
図１３に示すように、瞳Ｅを移動させ、反射型体積ホログラム２の予め設計された入射方向の光源Ｌから出射した反射型体積ホログラム２の予め設計された回折波長を含んだ光（例えば白色光）を、セキュリティ媒体１０の光源Ｌ側から見ると、物体の像が反射型体積ホログラム２の予め設計された回折方向で予め設計された回折光の緑色に見える。
【００７６】
これに対して、図１４に示すように、瞳Ｅを移動させ、反射型体積ホログラム２の予め設計された入射方向の光源Ｌから出射した反射型体積ホログラム２の予め設計された回折波長を含んだ光を、反射型体積ホログラム２の予め設計された入射方向から見ると、光源が白色光の場合、物体の像は、緑色が抜けた赤紫色に見える。すなわち、反射型体積ホログラム２の予め設計された回折光の色の補色が見えることになる。
【００７７】
このように、第３実施形態の反射型体積ホログラム２を含むセキュリティ媒体１０の真贋判定方法では、セキュリティ媒体１０は、不透明な部材であって、光源Ｌから出射された反射型体積ホログラム２の予め設計された回折波長を含んだ光が反射すると、散乱して出射する機能を有し、反射型体積ホログラム２に並んで配置される散乱反射部材４を備え、反射型体積ホログラム２の予め設計された入射方向の光源Ｌから出射した反射型体積ホログラム２の予め設計された回折波長を含んだ光に対して、反射型体積ホログラム２の予め設計された回折方向から光を観測する第１工程と、反射型体積ホログラム２の予め設計された入射方向の光源Ｌから出射した反射型体積ホログラム２の予め設計された回折波長を含んだ光に対して、反射型体積ホログラム２の予め設計された入射方向から光を観測する第２工程と、を有し、第１工程で回折波長における光量が他の波長における光量よりも多い光が判定され、第２工程で前記回折波長における光量が他の波長における光量よりも少ない光が判定される場合、反射型体積ホログラム２が真であると判定するので、容易に反射型体積ホログラム２の真贋判定を行うことが可能となる。また、第３実施形態のセキュリティ媒体１０の真贋判定方法では、反射型体積ホログラム２の予め設計された回折波長を含んだ光の光源Ｌから入射する光をセキュリティ媒体１０で所定の角度に反射させ、観察者が観察する色を比較することで、セキュリティ媒体１０の真贋を判定することが可能となる。また、第３実施形態では、セキュリティ媒体１０が散乱反射部材４を用いることで、観察者は、瞳Ｅをセキュリティ媒体１０の片側の位置に配置すればよいので、容易に観察することが可能となる。
【００７８】
図１５は、第３実施形態の他の例の反射型体積ホログラムの真贋判定方法の例を示す。
【００７９】
図１５に示すように、第３実施形態の他の例では、瞳Ｅを移動させ、反射型体積ホログラム２の予め設計された回折方向以外に配置された光源Ｌから出射された場合、反射型体積ホログラム２を予め設計された入射方向から見ると、光源が白色光の場合、物体の像は、緑色が抜けた赤紫色に見える。すなわち、反射型体積ホログラム２の予め設計された回折光の色の補色が見えることになる。
【００８０】
以上、本実施形態の反射型体積ホログラム２を含むセキュリティ媒体１０の真贋判定装置１は、反射型体積ホログラム２に入射するように、表面側に配置される光源Ｌと、反射型体積ホログラム２の予め設計された回折方向に配置される第１観測装置１１と、反射型体積ホログラム２の予め設計された回折方向以外に配置される第２観測装置１２と、を備え、光源Ｌから反射型体積ホログラム２に予め設計された回折波長を含む光を入射し、第１観測装置１１で回折波長における光量が他の波長における光量よりも多い光が観測され、第２観測装置１２で回折波長における光量が他の波長における光量よりも少ない光が観測される場合、反射型体積ホログラム２が真であると判定するので、容易に反射型体積ホログラム２の真贋を判定することが可能となる。
【００８１】
また、本実施形態の反射型体積ホログラム２を含むセキュリティ媒体１０の真贋判定装
置１では、光源Ｌは、反射型体積ホログラム２の予め設計された再生照明光の入射方向から反射型体積ホログラム２に入射するように配置されるので、第１観測装置１１で波長を明確に観測することが可能となる。
【００８２】
また、本実施形態の反射型体積ホログラム２を含むセキュリティ媒体１０の真贋判定装置１では、第２観測装置１２は、光源Ｌから出射された光が直進透過する方向に配置されるので、第２観測装置１２で波長を明確に観測することが可能となる。
【００８３】
また、本実施形態の反射型体積ホログラム２を含むセキュリティ媒体１０の真贋判定装置１では、セキュリティ媒体１０は、透明な部材であって、光源Ｌから出射された光が透過すると、散乱して出射する機能を有し、反射型体積ホログラム２に並んで配置される散乱透過部材３を備えるので、第２観測装置１２で波長を容易に観測することが可能となる。
【００８４】
また、本実施形態の反射型体積ホログラム２を含むセキュリティ媒体１０の真贋判定装置１では、第２観測装置１２は、反射型体積ホログラム２及び散乱透過部材３を挟んで光源Ｌとは反対側に配置されるので、第２観測装置１２の位置を容易に設定することが可能となる。
【００８５】
また、本実施形態の反射型体積ホログラム２を含むセキュリティ媒体１０の真贋判定装置１では、セキュリティ媒体１０は、透明な部材であって、光源Ｌから出射された光が反射すると、散乱して出射する機能を有し、反射型体積ホログラム２に並んで配置される散乱反射部材４を備えるので、第２観測装置１２で波長を容易に観測することが可能となる。
【００８６】
また、本実施形態の反射型体積ホログラム２を含むセキュリティ媒体１０の真贋判定装置１では、光源Ｌは、照射する再生光が反射型体積ホログラム２の予め設計された回折方向以外から反射型体積ホログラム２に入射するように、表面側に配置されるので、光源Ｌの位置を広範囲に配置することができ、容易に反射型体積ホログラム２の真贋判定を行うことが可能となる。
【００８７】
また、本実施形態の反射型体積ホログラム２を含むセキュリティ媒体１０の真贋判定装置１では、光源Ｌは、照射する再生光が反射型体積ホログラム２の予め設計された入射方向から反射型体積ホログラム２に入射するように、表面側に配置されるので、光源Ｌの位置を容易に設定することが可能となる。
【００８８】
また、本実施形態の反射型体積ホログラム２を含むセキュリティ媒体１０の真贋判定装置１では、第２観測装置１２は、反射型体積ホログラム２の予め設計された入射方向に配置されるので、第１観測装置１１と第２観測装置１２の両方を反射型体積ホログラム２の片側に配置すればよいので、全体を小型に形成することが可能となる。
【００８９】
さらに、本実施形態の反射型体積ホログラム２を含むセキュリティ媒体１０の真贋判定方法は、光源Ｌから入射する反射型体積ホログラム２の予め設計された回折波長を含む光が反射型体積ホログラム２の再生照明光となるように、反射型体積ホログラム２を移動させ、反射型体積ホログラム２の予め設計された回折方向から光を観測する第１工程と、光源Ｌから入射する反射型体積ホログラム２の予め設計された回折波長を含む光が反射型体積ホログラム２を透過するように、反射型体積ホログラム２を移動させ、反射型体積ホログラム２を光源Ｌの反対側から光を観測する第２工程と、を有し、第１工程で回折波長における光量が他の波長における光量よりも多い光が判定され、第２工程で回折波長における光量が他の波長における光量よりも少ない光が判定される場合、反射型体積ホログラム
２が真であると判定するので、容易に反射型体積ホログラム２の真贋判定を行うことが可能となる。
【００９０】
また、本実施形態の反射型体積ホログラム２を含むセキュリティ媒体１０の真贋判定方法では、セキュリティ媒体１０は、透明な部材であって、光源Ｌから出射された反射型体積ホログラム２の予め設計された回折波長を含む光が透過すると、散乱して出射する機能を有し、反射型体積ホログラム２に並んで配置される散乱透過部材３を備え、光源Ｌから入射する反射型体積ホログラム２の予め設計された回折波長を含む光が反射型体積ホログラム２の再生照明光となるように、反射型体積ホログラム２を移動させ、反射型体積ホログラム２の予め設計された回折方向から光を観測する第１工程と、白色光の光源Ｌから入射する光が反射型体積ホログラム２を透過するように、反射型体積ホログラム２を移動させ、反射型体積ホログラム２を光源Ｌの反対側から光を観測する第２工程と、を有し、第１工程で回折波長における光量が他の波長における光量よりも多い光が判定され、第２工程で回折波長における光量が他の波長における光量よりも少ない光が判定される場合、反射型体積ホログラム２が真であると判定するので、容易に反射型体積ホログラム２の真贋判定を行うことが可能となる。
【００９１】
また、本実施形態の反射型体積ホログラム２を含むセキュリティ媒体１０の真贋判定方法では、セキュリティ媒体１０は、不透明な部材であって、光源Ｌから出射された反射型体積ホログラム２の予め設計された回折波長を含む光が反射すると、散乱して出射する機能を有し、反射型体積ホログラム２に並んで配置される散乱反射部材４を備え、反射型体積ホログラム２の予め設計された再生照明光の入射方向の光源Ｌから出射した光に対して、反射型体積ホログラム２の予め設計された回折方向から光を観測する第１工程と、反射型体積ホログラム２の予め設計された再生照明光の入射方向の光源Ｌから出射した光に対して、反射型体積ホログラム２の予め設計された再生照明光の入射方向から光を観測する第２工程と、を有し、第１工程で回折波長における光量が他の波長における光量よりも多い光が判定され、前記第２工程で回折波長における光量が他の波長における光量よりも少ない光が判定される場合、反射型体積ホログラム２が真であると判定するので、容易に反射型体積ホログラム２の真贋判定を行うことが可能となる。
【００９２】
また、本実施形態の反射型体積ホログラム２を含むセキュリティ媒体１０の真贋判定方法では、第２工程は、反射型体積ホログラム２の予め設計された再生照明光が入射した場合の回折光の出射方向以外の光源Ｌから出射した光に対して、反射型体積ホログラム２の予め設計された再生照明光の入射方向から光を観測するので、光源Ｌの位置を広範囲に配置することができ、容易に反射型体積ホログラム２の真贋判定を行うことが可能となる。
【００９３】
さらに、本実施形態の反射型体積ホログラム２を含むセキュリティ媒体１０は、透明な反射型体積ホログラム２と、透明な部材であって、光源Ｌから出射された光が透過すると、散乱して出射する機能を有し、反射型体積ホログラム２の光源Ｌとは反対側に並んで配置される散乱透過部材３と、を備えるので、容易に反射型体積ホログラム２の真贋判定を行うことができる部材を形成することが可能となる。
【００９４】
また、本実施形態の反射型体積ホログラム２を含むセキュリティ媒体１０は、反射型体積ホログラム２と、不透明な部材であって、光源Ｌから出射された光が反射すると、散乱して出射する機能を有し、反射型体積ホログラム２の光源Ｌとは反対側に並んで配置される散乱反射部材４と、を備えるので、容易に反射型体積ホログラム２の真贋判定を行うことができる部材を形成することが可能となる。
【００９５】
以上、反射型体積ホログラムを含むセキュリティ媒体の真贋判定装置、反射型体積ホログラムを含むセキュリティ媒体の真贋判定方法、及び反射型体積ホログラムを含むセキュ
リティ媒体をいくつかの実施例に基づいて説明してきたが、本発明はこれら実施例に限定されず種々の組み合わせ又は変形が可能である。
【符号の説明】
【００９６】
１…真贋判定装置
２…反射型体積ホログラム
３…散乱透過部材
４…散乱反射部材
１１…第１観察装置
１２…第２観察装置
１００…セキュリティ媒体
Ｌ…光源
【図１】
0006468418.tif 000002
【図２】
0006468418.tif 000003
【図３】
0006468418.tif 000004
【図４】
0006468418.tif 000005
【図５】
0006468418.tif 000006
【図６】
0006468418.tif 000007
【図７】
0006468418.tif 000008
【図８】
0006468418.tif 000009
【図９】
0006468418.tif 000010
【図１０】
0006468418.tif 000011
【図１１】
0006468418.tif 000012
【図１２】
0006468418.tif 000013
【図１３】
0006468418.tif 000014
【図１４】
0006468418.tif 000015
【図１５】
0006468418.tif 000016